(57)【特許請求の範囲】
【請求項１】
枠体と、該枠体に開閉自在に取付けられたドアと、前記枠体側に取付けられる第１パッキンと、前記ドア側に取付けられる第２パッキンとからなり、
前記枠体は、開口部の大きい大形枠部と、それより開口部の小さい小形枠部と、前記大形枠部と前記小形枠部との間の１ヵ所の段差部からなり、
前記ドアは、前記枠体の前記大形枠部に嵌る大形ドア体と、前記小形枠部に嵌る小形ドア体とが重ねられて構成され、前記大形ドア体の端面と前記小形ドア体の端面との間に前記大形ドア体の側縁が露出する段差が形成されており、
前記枠体の前記段差部には、前記第１パッキンを前記大形ドア体の側縁部に向けて取付けるための第１収容ポケットが形成され、
前記ドアの前記小形枠部の端面には前記第２パッキンを前記第１パッキン側に向けて取付けるための第２収容ポケットが形成されている
ことを特徴とする防音ドア構造。
【請求項２】
前記ドアの閉止時において、前記第１パッキンが前記大形ドア体の側縁部に接触し、前記第２パッキンが前記第１パッキンに接触するようになっている
ことを特徴とする請求項１記載の防音ドア構造。
【請求項３】
前記ドアの閉止時において、前記第１パッキンが前記大形ドア体の側縁部に接触し、前記第２パッキンが前記第１収容ポケットに接触するようになっている
ことを特徴とする請求項１記載の防音ドア構造。
【請求項４】
前記第１パッキンと第１収容ポケット、および前記第２パッキンと第２収容ポケットが、片開きドアにおける吊元側と戸先側に設けられている
ことを特徴とする請求項１記載の防音ドア構造。
【請求項５】
前記第１パッキンと第１収容ポケット、および前記第２パッキンと第２収容ポケットが、片開きドアの上部に、さらに設けられている
ことを特徴とする請求項４記載の防音ドア構造。
【請求項６】
前記第１パッキンと第１収容ポケット、および前記第２パッキンと第２収容ポケットが、片開きドアの上部と下部に、さらに設けられている
ことを特徴とする請求項４記載の防音ドア構造。
【請求項７】
前記第１パッキンと第１収容ポケット、および前記第２パッキンと第２収容ポケットが、両開きドアにおける親扉と子扉の、それぞれの吊元側に設けられている
ことを特徴とする請求項１記載の防音ドア構造。
【請求項８】
前記第１パッキンと第１収容ポケット、および前記第２パッキンと第２収容ポケットが、両開きドアの親扉と子扉のそれぞれの上部に、さらに設けられている
ことを特徴とする請求項７記載の防音ドア構造。
【請求項９】
前記第１パッキンと第１収容ポケット、および前記第２パッキンと第２収容ポケットが、両開きドアの親扉と子扉のそれぞれの上部と下部に、さらに設けられている
ことを特徴とする請求項７記載の防音ドア構造。
【請求項１０】
前記両開きドアの召合部において、親扉と子扉のそれぞれの戸先に、相手方部材に当る第３パッキンおよび第４パッキンを取付け、かつ子扉に親扉のドア側部材に当る第５パッキンを取付けた
ことを特徴とする請求項７記載の防音ドア構造。
【発明の詳細な説明】
【技術分野】
【０００１】
本発明は、防音ドア構造に関する。さらに詳しくは、ドアと枠体の間に、ドアを閉めたとき枠体との間で気密性を持たせるゴムパッキン等が取付けられ、このゴムパッキンにより防音機能をもたせた防音ドアがある。本発明は、このような防音ドアに用いられるドア構造に関する。
【背景技術】
【０００２】
図１１は、従来例１の防音ドア構造を示している。枠体ＦとドアＤの間に、気密を保つためのゴムパッキン101を枠体Ｆ側に取付け、ドアＤの壁面に対して垂直方向に配設している。この構造により、ドア閉止時に枠体ＦとドアＤの間の隙間をゴムパッキン101により遮蔽でき、防音することができる（特許文献１）。この従来例１は、いわゆる一般的に簡易気密ドアと呼ばれるタイプで、高性能の防音効果は期待できない。
図１２は従来例２の防音ドア構造を示している。枠体ＦとドアＤの間に、気密を保つためのゴムパッキン102を枠体Ｆ側に取付け、ドアＤの壁面に対して垂直方向に配設している。この構造により、ドア閉止時に枠体ＦとドアＤの間の隙間をゴムパッキンにより遮蔽し防音できる点は従来例１と同様である。さらに、この従来例２は、ゴムパッキン102の圧縮を強くするため、ゴムパッキン102に圧着する扉部に先端が尖ったエッジ部材103を取付けてあるのが特徴で、従来例１よりもより高い防音効果がある（特許文献２）。ただし、エッジ部材103はステンレス製を使用するのが一般的であり、また部品点数も増加することにより、従来例１よりも高価になる欠点がある。
図１３は従来例３の防音ドア構造を示している。枠体ＦとドアＤの間に、２個のゴムパッキン103,104を枠体Ｆ側でドアＤの壁面に対して垂直方向に配設しており、いわゆる二重パッキン構造としている。この構造により、ドア閉止時に枠体ＦとドアＤの間の隙間をゴムパッキンにより二重に遮蔽し防音することができる（特許文献３）。この従来例３は、従来例１に対してより高い防音効果をあげることができる。ただし、従来例１，２に比べ、同一外形寸法のドアに対して枠体Ｆの幅が広くなることから、人が通過する開口部Ｏｐの面積が小さくなるという利用上の欠点がある。また、枠体Ｆにゴムパッキン103,104を挿入するためのポケット105が二重になっているため、鋼板の折曲加工が複雑になるという製造上の欠点がある。
【０００３】
【特許文献１】特開平９−１８４３７７号
【特許文献２】実開平４−４８３９０号
【特許文献３】実開平５−５２１８５号
【発明の開示】
【発明が解決しようとする課題】
【０００４】
本発明は上記事情に鑑み、従来例１，２の防音ドアと同様の広い開口面積を確保しながら、より高い防音効果を達成できる防音ドア構造を提供することを目的とする。
【課題を解決するための手段】
【０００５】
第１発明の防音ドア構造は、枠体と、該枠体に開閉自在に取付けられたドアと、前記枠体側に取付けられる第１パッキンと、前記ドア側に取付けられる第２パッキンとからなり、前記枠体は、開口部の大きい大形枠部と、それより開口部の小さい小形枠部と、前記大形枠部と前記小形枠部との間の１ヵ所の段差部からなり、前記ドアは、前記枠体の前記大形枠部に嵌る大形ドア体と、前記小形枠部に嵌る小形ドア体とが重ねられて構成され、前記大形ドア体の端面と前記小形ドア体の端面との間に前記大形ドア体の側縁が露出する段差が形成されており、前記枠体の前記段差部には、前記第１パッキンを前記大形ドア体の側縁部に向けて取付けるための第１収容ポケットが形成され、前記ドアの前記小形枠部の端面には前記第２パッキンを前記第１パッキン側に向けて取付けるための第２収容ポケットが形成されていることを特徴とする。
第２発明の防音ドア構造は、第１発明において、前記ドアの閉止時において、前記第１パッキンが前記大形ドア体の側縁部に接触し、前記第２パッキンが前記第１パッキンに接触するようになっていることを特徴とする。
第３発明の防音ドア構造は、第１発明において、前記ドアの閉止時において、前記第１パッキンが前記大形ドア体の側縁部に接触し、前記第２パッキンが前記第１収容ポケットに接触するようになっていることを特徴とする。
第４発明の防音ドア構造は、第１発明において、前記第１パッキンと第１収容ポケット、および前記第２パッキンと第２収容ポケットが、片開きドアにおける吊元側と戸先側に設けられていることを特徴とする。
第５発明の防音ドア構造は、第４発明において、前記第１パッキンと第１収容ポケット、および前記第２パッキンと第２収容ポケットが、片開きドアの上部に、さらに設けられていることを特徴とする。
第６発明の防音ドア構造は、第４発明において、前記第１パッキンと第１収容ポケット、および前記第２パッキンと第２収容ポケットが、片開きドアの上部と下部に、さらに設けられていることを特徴とする。
第７発明の防音ドア構造は、第１発明において、前記第１パッキンと第１収容ポケット、および前記第２パッキンと第２収容ポケットが、両開きドアにおける親扉と子扉の、それぞれの吊元側に設けられていることを特徴とする。
第８発明の防音ドア構造は、第７発明において、前記第１パッキンと第１収容ポケット、および前記第２パッキンと第２収容ポケットが、両開きドアの親扉と子扉のそれぞれの上部に、さらに設けられていることを特徴とする。
第９発明の防音ドア構造は、第７発明において、前記第１パッキンと第１収容ポケット、および前記第２パッキンと第２収容ポケットが、両開きドアの親扉と子扉のそれぞれの上部と下部に、さらに設けられていることを特徴とする。
第１０発明の防音ドア構造は、第７発明において、前記両開きドアの召合部において、親扉と子扉のそれぞれの戸先に、相手方部材に当る第３パッキンおよび第４パッキンを取付け、かつ子扉に親扉のドア側部材に当る第５パッキンを取付けたことを特徴とする。
【発明の効果】
【０００６】
第１発明は、つぎの効果を奏する。
ａ）ドアの閉止時において、第１パッキンが大形ドア体の側縁部に当り、第２パッキンが第１パッキン側の部材に当るので、密閉個所が２カ所となって、遮音性が高くなる。
ｂ）枠体には第１収容ポケットを形成する１ヵ所の段差部しか設けていないので、枠体の幅を大きくする必要がなく、人が通る開口部を広く確保できる。
第２発明によれば、ドアの閉止時において、第１パッキンが第２パッキンに当り、パッキン同士で当ることによって密閉性が達成され、遮音性が高くなる。
第３発明によれば、ドアの閉止時において、第２パッキンが第１収容ポケットに当るので、密閉性が高まり、遮音性もより高くなる。
第４発明によれば、片開きドアにおける吊元側と戸先側に第１、第２パッキンが取付けられるので、ドアの隙間の多くの部分が密閉され、高い防音性が得られる。
第５発明によれば、さらに、ドアの上部も第１、第２パッキンで密閉されるので、隙間が減り、より高い防音性が得られる。
第６発明によれば、さらになお、ドアの下部も第１、第２パッキンで密閉されるので、ドアの隙間が無くなり、さらにより高い防音性が得られる。
第７発明によれば、両開きドアにおける親扉と子扉のそれぞれの吊元側に第１、第２パッキンが取付けられているので、ドアの隙間に密閉される部分ができ、高い防音性が得られる。
第８発明によれば、さらに、ドアの上部も第１、第２パッキンで密閉されるので、隙間が減り、より高い防音性が得られる。
第９発明によれば、さらになお、ドアの下部も第１、第２パッキンで密閉されるので、ドアの隙間が無くなり、さらにより高い防音性が得られる。
第１０発明によれば、両開きドアの召合部でも隙間を密閉できるので、音の漏れる隙間が全くなくなり、非常に高い防音性が得られる。
【発明を実施するための最良の形態】
【０００７】
つぎに、本発明の実施形態を図面に基づき説明する。
図１は本発明の一例に係る防音ドア構造の説明図である。図２は本発明の他の例に係る防音ドア構造の説明図である。
本発明の防音ドア構造は、図１に示すように、枠体Ｆと、枠体Ｆに開閉自在に取付けられるドアＤと、枠体Ｆ側に取付けられる第１パッキンＰ１と、ドアＯ側に取付けられる第２パッキンＰ２とからなるものである。
前記枠体Ｆは、開口部の大きい大形枠部Ｆｂと、それより開口部の小さい小形枠部Ｆｓとが連続して形成されている。そして、前記大形枠部Ｆｂと前記小形枠部Ｆｓとの間には段差部Ｓが１ヵ所形成されている。そして前記ドアＤは、前記枠体Ｆの前記大形枠部Ｆｂに嵌る大形ドア体Ｄｂと、前記小形枠部Ｆｓに嵌る小形ドア体Ｄｓとが重ねらたものである。そして前記大形ドア体Ｄｂの端面ｂｅと前記小形ドア体Ｄｓの端面Ｓｅとの間に前記大形ドア体Ｄｂの側縁ｅｆが露出する段差が形成されている。
【０００８】
防音に使用するパッキンは、第１パッキンＰ１と第２パッキンＰ２とからなる。
第１パッキンＰ１および第２パッキンＰ２を総称するときは、単にパッキンという。これらのパッキン自体の構造は、公知のドア用パッキンや将来開発されるドア用パッキンのいずれも特に制限なく使用できる。必要とされる構成は、枠体やドアに形成された収容ポケットに収容される基部と、その上面に形成される当接部を有していればよい。もちろん、基部と当接部の間に弾力部を有するものであってもよく、当接部を中空にしてマグネット棒を挿入したものであってもよい。
図示したパッキンにおける基部１は厚肉の断面略四角形の筒状部材であり、その基部１の左右両側面には、抜止めリブ１ｂが形成されている。当接部３は可撓性を有する断面略四角形の筒状部材であり、その内部は中空となっている。上記の基部１と当接部３は、ゴム等の弾力性を有する部材で一体成形されたものである。
【０００９】
前記枠体Ｆの段差部Ｓには、第１パッキンＰ１を取付けるための第１収容ポケット１０が形成され、前記ドアＤの前記小形枠部Ｄｓの端面には前記第２パッキンＰ２を取付けるための第２収容ポケット２０が形成されている。
１０は第１パッキンＰ１を収容する第１収容ポケットである。この第１収容ポケット１０は、枠体１を形成するメッキ鋼板やステンレス鋼などの金属板を折り曲げて構成したもので、枠体１の側壁をそのまま兼用した内側壁１１と、底壁１２と、折り曲げて２枚重ねにした外側壁１３とからなる。
２０は、第２パッキンＰ２を収容する第２収容ポケットである。この第２収容ポケット２０は、ドアＤを形成するメッキ鋼板やステンレス鋼などの金属板を折り曲げて構成したもので、ドアＤの側壁をそのまま兼用した内側壁２１と、底壁２２と、外側壁２３とからなる。
【００１０】
第１パッキンＰ１は、第１収容ポケット１０に取付けられる。すなわち、基部１が第１収容ポケット１０に収容して固定され、当接部３の頂面がドアＤの大形ドア体Ｄｂの側縁ｅｆに垂直に向くように配置される。
第２パッキンＰ２は、第２収容ポケット２０に取付けられる。すなわち、基部１が第２収容ポケット２０に収容して固定され、当接部３の頂面が、前記第１パッキンＰ１側に向くように配置される。
【００１１】
本実施形態では、ドアＤを閉じた状態では、第１パッキンＰ１が大形ドア体Ｄｂの側縁ｅｆに当った状態で第２パッキンＰ２にも当るので、第１パッキンＰ１のドアＤに対する密着度が高まる。そして、密閉個所が、第１パッキンＰ１が大形ドア体Ｄｂの側縁ｅｆに当った１カ所と、第２パッキンＰ２に当った１カ所の計２カ所となるので、遮音性が高くなる。
【００１２】
図２には、他の例の防音ドア構造を示している。
第１パッキンＰ１および第２パッキンＰ２自体は、図１の実施形態と同様である。また、ドアＤ側の第２収容ポケット２０も図１と同様である。枠体Ｆ側の第１収容ポケット１０は図１のものと下記の点で相違している。
すなわち、第１収容ポケット１０の外側壁１３は少し長くなっており、鋼板等を二重に折り曲げた先端部はエッジ部１４となっている。このエッジ部１４がドアＤの閉止時において第２パッキンＰ２の当接部３に当るようになっている。
【００１３】
この実施形態では、ドアの閉止時において、密着個所が、第１パッキンＰ１が大形ドア体Ｄｂの側縁ｅｆに当った１カ所と、ポケット１０のエッジ部１４が第２パッキンＰ２に当った１カ所の計２カ所となる。そして、エッジ部１４は第２パッキンＰ２の当接部３に強く当るので、遮音性が高くなる。
【００１４】
つぎに、片開きドアに前記防音パッキンを適用した防音ドア構造を、図３〜図６に基づき説明する。
図３は片開きドアの内側から見た正面図であり、Ｆは枠体、Ｄはドア、ＨはドアＤを枠体Ｆに開閉自在に取付ける蝶番、ＮはドアＤの取手である。枠体Ｆは、ドアＤの周囲を囲む四角形の枠である。なお、ドアＤの蝶番Ｈ取付側を吊元側Ｔ１といい、取手Ｎ取付側を戸先側Ｔ２という。
図４〜図６は、このような片開きドアに対する本考案の適用例を示している。
【００１５】
図４は、片開きドアの吊元側Ｔ１と戸先側Ｔ２に、第１パッキンＰ１と第２パッキンＰ２をそれぞれ取付けたものである。すなわち、吊元側Ｔ１に第１パッキンＰ１と第２パッキンＰ２の組合せを配置し、戸先側Ｔ２にも第１パッキンＰ１と第２パッキンＰ２の組合せを配置している。
この実施形態であると、ドアＤの隙間の多くの部分が密閉され、高い防音性が得られる。また、第１パッキンＰ１が第２パッキンＰ２に当り、パッキン同士で当ることによって密閉性が達成されるので、遮音性が高くなる。しかも、枠体Ｆには第１パッキンＰ１しか取付けていない、すなわち第１収容ポケット１０を形成する１ヵ所の段差部Ｓしか設けていないので、枠体Ｆの幅を大きくする必要がなく、人が通る開口部が狭くなることもない。すなわち、図１１〜図１２の従来例１，２と同レベル位に広い開口部を確保できる。
【００１６】
図５は、片開きドアの吊元側Ｔ１と戸先側Ｔ２に、図２の防音パッキンをそれぞれ取付けたものである。すなわち、吊元側Ｔ１に第１パッキンＰ１と第２パッキンＰ２の組合せを配置し、戸先側Ｔ２にも第１パッキンＰ１と第２パッキンＰ２の組合せを配置している。
この実施形態であると、ドアＤの隙間の多くの部分が密閉され、高い防音性が得られる。また、第２パッキンＰ２が第１パッキンＰ１の収容ポケット１０のエッジ部１４に当るので、密閉性が高まり、遮音性もより高くなる。しかも、枠体Ｆには第１パッキンＰ１しか取付けていないので、枠体Ｆの幅を大きくする必要がなく、人が通る開口部が狭くなることもない。すなわち、図１１〜図１２の従来例１，２と同レベル位に広い開口部を確保できる。
【００１７】
図６の（Ａ）図は、片開きドアの上部にも第１パッキンＰ１と第２パッキンＰ２を取付けたものである。図では、図１に示す第１パッキンＰ１と第２パッキンＰ２の組合せを取付けた例を示しているが、図２に示す第１パッキンＰ１と第２パッキンＰ２の組合せを取付けてもよい。なお、Ｇはドア閉止時にパッキンがバネの付勢力によって下降して密閉し、ドアの開閉動作時にはパッキンを上方に格納しておく公知の昇降パッキンである。
この実施形態であると、ドアＤの上部も防音パッキンＰ１，Ｐ２で密閉されるので、隙間が減り、より高い防音性が得られる。
【００１８】
図６の（Ｂ）図は、片開きドアの上部と下部にも第１パッキンＰ１と第２パッキンＰ２を取付けたものである。図では、図１に示す第１パッキンＰ１と第２パッキンＰ２の組合せを取付けた例を示しているが、図２に示す第１パッキンＰ１と第２パッキンＰ２の組合せを取付けてもよい。
この実施形態であると、ドアＤの下部も防音パッキンで密閉されるので、ドアの隙間が無くなり、さらにより高い防音性が得られる。
【００１９】
図７は両開きドアの内側から見た正面図であり、Ｆは枠体、Ｄ１は親扉、Ｄ２は子扉、Ｈは蝶番、Ｎは取手である。枠体ＦはドアＤ１，Ｄ２を囲む四角形の枠である。親扉Ｄ１も子扉Ｄ２も蝶番Ｈ取付側を吊元側Ｔ１といい、各ドアＤ１，Ｄ２の自由端側を戸先側という。また、親扉Ｄ１の戸先側と子扉Ｄ２の戸先側の合う部分を召合部Ｔ３という。
【００２０】
図８は、両開きドアにおける親扉Ｄ１と子扉Ｄ２のそれぞれの吊元側Ｔ１，Ｔ１に、第１パッキンＰ１と第２パッキンＰ２をそれぞれ取付けたものである。すなわち、親扉Ｄ１の吊元側Ｔ１に第１パッキンＰ１と第２パッキンＰ２の組合せを配置し、子扉Ｄ２の吊元側Ｔ１にも第１パッキンＰ１と第２パッキンＰ２の組合せを配置している。
この実施形態であると、両開きドアの隙間に密閉される部分ができ、高い防音性が得られる。また、第１パッキンＰ１が第２パッキンＰ２に当り、パッキン同士で当ることによって密閉性が高まるので、遮音性が高くなる。しかも、枠体Ｆには第１パッキンＰ１しか取付けていないので、枠体Ｆの幅を大きくする必要がなく、人が通る開口面積を大きく確保することができる。
【００２１】
さらに、上記実施形態では、親扉Ｄ１と子扉Ｄ２の召合部において、親扉Ｄ１と子扉Ｄ２のそれぞれの戸先に、相手方部材に当る第３パッキンおよび第４パッキンを取付け、かつ子扉に親扉のドア側部材に当る第５パッキンを取付けている。すなわち、第３パッキンＰ３は親扉Ｄ１に取付けており、ドア閉止時に第４パッキンＰ４の先端に当り、第４パッキンＰ４は子扉Ｄ２に取付けており、ドア閉止時に前記第３パッキンＰ３の先端に当るようになっている。このように２個のパッキンＰ３，Ｐ４が互いに当接することで、召合部での１段目の密閉ができる。
そして、子扉Ｄ２にはポケット１０を取付け、このポケット１０に収容された第５パッキンＰ５は親扉Ｄ１の壁面に直角に当るようになっている。この第５パッキンＰ５で２段目の密閉ができる。
以上の構成であると、両開きドアの召合部Ｔ３でも隙間を密閉できるので、音の漏れる隙間が全くなくなり、非常に高い防音性が得られる。
【００２２】
図９は、両開きドアにおける親扉Ｄ１と子扉Ｄ２のそれぞれの吊元側Ｔ１，Ｔ１に、第１パッキンＰ１と第２パッキンＰ２をそれぞれ取付けたものである。すなわち、親扉Ｄ１の吊元側Ｔ１に第１パッキンＰ１と第２パッキンＰ２の組合せを配置し、子扉Ｄ２の吊元側Ｔ１にも第１パッキンＰ１と第２パッキンＰ２の組合せを配置している。なお、召合部にも図８の実施形態と同様に第３〜第５パッキンＰ３，Ｐ４，Ｐ５で、二重の密閉構造をとっている。
この実施形態であると、ドアの隙間に密閉される部分ができ、高い防音性が得られる。また、第２パッキンＰ２が第１パッキンＰ１の収容ポケット１０のエッジ部１４に当るので、密閉が確実になり、遮音性も高くなる。しかも、枠体には第１パッキンしか取付けていないので、枠体の幅を大きくする必要がなく、人が通る開口面積を大きく確保することができる。
【００２３】
図１０の（Ａ）図は、両開きドアの上部にも第１パッキンＰ１と第２パッキンＰ２を取付けたものである。図では、図１に示す第１パッキンＰ１と第２パッキンＰ２の組合せを取付けた例を示しているが、図２に示す第１パッキンＰ１と第２パッキンＰ２の組合せを取付けてもよい。なお、Ｇはドア閉止時にパッキンがバネの付勢力によって下降して密閉し、ドアの開閉動作時にはパッキンを上方に格納しておく公知の昇降パッキンである。
この実施形態であると、ドアの上部も防音パッキンＰ１，Ｐ２で密閉されるので、隙間が減り、より高い防音性が得られる。
【００２４】
図１０の（Ｂ）図は、両開きドアの上部と下部にも第１パッキンＰ１と第２パッキンＰ２を取付けたものである。図では、図１に示す第１パッキンＰ１と第２パッキンＰ２の組合せを取付けた例を示しているが、図２に示す第１パッキンＰ１と第２パッキンＰ２の組合せを取付けてもよい。
この実施形態であると、ドアＤの下部も防音パッキンで密閉されるので、ドアの隙間が無くなり、さらにより高い防音性が得られる。
【図面の簡単な説明】
【００２５】
【図１】本発明の一例に係る防音ドア構造の説明図である。
【図２】本発明の他の例に係る防音ドア構造の説明図である。
【図３】本発明が適用される片開きドアの説明図であって、（Ａ）図は正面図、（Ｂ）図は横断面図である。
【図４】本発明の第１実施形態に係る防音ドア構造の横断面図である。
【図５】本発明の第２実施形態に係る防音ドア構造の横断面図である。
【図６】（Ａ）図は本発明の第３実施形態に係る防音ドア構造の縦断面図、（Ｂ）図は第４実施形態に係る防音ドア構造の縦断面図である。
【図７】本発明が適用される両開きドアの説明図であって、（Ａ）図は正面図、（Ｂ）図は横断面図である。
【図８】本発明の第５実施形態に係る防音ドア構造の横断面図である。
【図９】本発明の第６実施形態に係る防音ドア構造の横断面図である。
【図１０】（Ａ）図は本発明の第７実施形態に係る防音ドア構造の横断面図、（Ｂ）図は本第８実施形態に係る防音ドア構造の横断面図である。
【図１１】従来例１の防音ドア構造の横断面図である。
【図１２】従来例２の防音ドア構造の横断面図である。
【図１３】従来例３の防音ドア構造の横断面図である。
【符号の説明】
【００２６】
１    基部
３    当接部
１０    第１収容ポケット
１４    エッジ部
２０    第２収容ポケット
Ｐ１    第１パッキン
Ｐ２    第２パッキン
【図１】
0003851638.tif 000002
【図２】
0003851638.tif 000003
【図３】
0003851638.tif 000004
【図４】
0003851638.tif 000005
【図５】
0003851638.tif 000006
【図６】
0003851638.tif 000007
【図７】
0003851638.tif 000008
【図８】
0003851638.tif 000009
【図９】
0003851638.tif 000010
【図１０】
0003851638.tif 000011
【図１１】
0003851638.tif 000012
【図１２】
0003851638.tif 000013
【図１３】
0003851638.tif 000014